【手続補正書】
【提出日】平成24年9月18日(2012.9.18)
【手続補正１】
【補正対象書類名】特許請求の範囲
【補正対象項目名】全文
【補正方法】変更
【補正の内容】
【特許請求の範囲】
【請求項１】
画像形成装置のシミュレーションを実行するシミュレーション装置であって、
前記画像形成装置に設けられる制御回路と同じ制御回路と、
前記制御回路に接続され、用紙の搬送を実時間でシミュレーションする用紙搬送シミュレータと
を備え、
前記用紙搬送シミュレータは、
前記画像形成装置において用紙を搬送するローラを駆動するためのモータの回転によって発生するパルス信号を擬似的に生成するパルス信号生成手段と、
前記生成されたパルス信号を用いて、搬送中の用紙の位置に関する情報を算出する算出手段と
を備えることを特徴とするシミュレーション装置。
【請求項２】
前記算出手段は、
前記制御回路からの給紙の開始を示す給紙開始信号の出力タイミングを基準として、前記パルス信号生成手段によって生成されたパルス信号のパルス数をカウントするカウント手段と、
カウントされたパルス数を用紙の先端位置として算出する先端位置算出手段と
を備えることを特徴とする請求項１に記載のシミュレーション装置。
【請求項３】
前記算出手段は、
前記先端位置算出手段によって算出されたパルス数から、用紙の搬送方向の長さに相当する、予め定められたパルス数を減算したパルス数を用紙の後端位置として算出する後端位置算出手段をさらに備えることを特徴とする請求項２に記載のシミュレーション装置。
【請求項４】
前記用紙搬送シミュレータは、
前記画像形成装置において搬送路上に設けられた用紙の有無を検出するためのセンサの位置に相当するパルス数が、算出された先端位置のパルス数と、算出された後端位置のパルス数との間の値である場合は、前記センサの位置に用紙が存在すると判断し、前記センサの位置に相当するパルス数が、算出された先端位置のパルス数と、算出された後端位置のパルス数との間の値でない場合は、前記センサの位置に用紙が存在しないと判断する判断手段をさらに備えることを特徴とする請求項３に記載のシミュレーション装置。
【請求項５】
画像形成装置のシミュレーションを実行するシミュレーション装置であって、
前記画像形成装置に設けられる制御回路と同じ制御回路と、
前記制御回路に接続され、用紙の搬送を実時間でシミュレーションする用紙搬送シミュレータと
を備え、
前記用紙搬送シミュレータは、
前記画像形成装置において用紙を搬送する複数のローラを駆動するための複数のモータの回転によって発生するパルス信号を、該複数のモータ毎に擬似的に生成する複数のパルス信号生成手段と、
前記複数のローラごとに用紙を搬送する複数のエリアの中から、搬送中の用紙の先端位置が存在するエリアを判断するエリア判断手段と、
前記エリア判断手段によって判断されたエリアに基づき、前記生成された複数のパルス信号から、現在用紙を搬送させているモータに基づくパルス数を選択する選択手段と、
前記選択されたパルス信号を用いて、搬送中の用紙の位置に関する情報を算出する算出手段と
を備えることを特徴とするシミュレーション装置。
【請求項６】
前記算出手段は、
前記制御回路からの給紙の開始を示す給紙開始信号の出力タイミングを基準として、前記選択手段によって選択されたパルス信号のパルス数をカウントするカウント手段と、
カウントされたパルス数を用紙の先端位置として算出する先端位置算出手段と
を備えることを特徴とする請求項５に記載のシミュレーション装置。
【請求項７】
前記算出手段は、
前記先端位置算出手段によって算出されたパルス数から、用紙の搬送方向の長さに相当し、かつ、前記エリア判断手段によって判断されたエリアのモータに基づく、予め定められたパルス数を減算したパルス数を用紙の後端位置として算出する後端位置算出手段をさらに備えることを特徴とする請求項６に記載のシミュレーション装置。
【請求項８】
前記用紙搬送シミュレータは、
前記画像形成装置において搬送路上に設けられた用紙の有無を検出するためのセンサの位置に相当し、かつ、前記エリア判断手段によって判断されたエリアのモータに基づくパルス数が、算出された先端位置のパルス数と、算出された後端位置のパルス数との間の値である場合は、前記センサの位置に用紙が存在すると判断し、前記センサの位置に相当し、かつ、前記エリアのモータに基づくパルス数が、算出された先端位置のパルス数と、算出された後端位置のパルス数との間の値でない場合は、前記センサの位置に用紙が存在しないと判断する判断手段をさらに備えることを特徴とする請求項７に記載のシミュレーション装置。
【請求項９】
前記画像形成装置において画像形成中に装置内に存在する用紙の最大枚数に対応する複数の前記用紙搬送シミュレータと、
各用紙搬送シミュレータの前記判断手段による判断結果の論理和に基づいて、装置内に用紙が存在するか否かを出力する出力手段と
をさらに備えることを特徴とする請求項８に記載のシミュレーション装置。
【請求項１０】
前記エリアの境界位置を示すパルス数は、該境界位置の上流側に位置するモータに基づくパルス数と、該境界位置の下流側に位置するモータに基づくパルス数とで同一であることを特徴とする請求項５乃至９の何れか１項に記載のシミュレーション装置。
【請求項１１】
前記パルス信号生成手段は、ステッピングモータの用紙搬送単位距離に基づいてパルス信号を生成し、
前記ステッピングモータの用紙搬送単位距離は、前記ステッピングモータの駆動信号の周期における整数分の１の時間で用紙が搬送される距離を示すことを特徴とする請求項１乃至１０の何れか１項に記載のシミュレーション装置。
【請求項１２】
前記パルス信号生成手段は、ＤＣブラシレスモータの用紙搬送単位距離ごとに基づいてパルス信号を生成し、
前記ＤＣブラシレスモータの用紙搬送単位距離は、前記ＤＣブラシレスモータが予め定められた角度を回転するごとに出力するＦＧパルスの周期の時間で用紙が搬送される距離を示すことを特徴とする請求項１乃至１０の何れか１項に記載のシミュレーション装置。
【請求項１３】
前記シミュレーション装置は、前記画像形成装置に設けられるビデオコントローラと同じビデオコントローラに接続されて、画像形成の動作確認を実行することを特徴とする請求項１乃至１２の何れか１項に記載のシミュレーション装置。
【請求項１４】
画像形成装置のシミュレーションを実行し、前記画像形成装置に設けられる制御回路と同じ制御回路と、前記制御回路に接続され、用紙の搬送を実時間でシミュレーションする用紙搬送シミュレータとを備えるシミュレーション装置の制御方法であって、
前記用紙搬送シミュレータは、
パルス信号生成手段が、前記画像形成装置において用紙を搬送するローラを駆動するためのモータの回転によって発生するパルス信号を擬似的に生成するパルス信号生成ステップと、
算出手段が、前記生成されたパルス信号を用いて、搬送中の用紙の位置に関する情報を算出する算出ステップと
を実行することを特徴とするシミュレーション装置の制御方法。
【請求項１５】
画像形成装置のシミュレーションを実行し、前記画像形成装置に設けられる制御回路と同じ制御回路と、前記制御回路に接続され、用紙の搬送を実時間でシミュレーションする用紙搬送シミュレータとを備えるシミュレーション装置の制御方法であって、
前記用紙搬送シミュレータは、
複数のパルス信号生成手段が、前記画像形成装置において用紙を搬送する複数のローラを駆動するための複数のモータの回転によって発生するパルス信号を、該複数のモータ毎に擬似的に生成する複数のパルス信号生成ステップと、
エリア判断手段が、前記複数のローラごとに用紙を搬送する複数のエリアの中から、搬送中の用紙の先端位置が存在するエリアを判断するエリア判断ステップと、
選択手段が、エリア判断ステップにおいて判断されたエリアに基づき、前記生成された複数のパルス信号から、現在用紙を搬送させているモータに基づくパルス数を選択する選択ステップと、
算出手段が、前記選択されたパルス信号を用いて、搬送中の用紙の位置に関する情報を算出する算出ステップと
を実行することを特徴とするシミュレーション装置の制御方法。
【請求項１６】
請求項１４又は１５に記載のシミュレーション装置の制御方法をコンピュータに実行させるためのプログラム。